(57)【特許請求の範囲】
【請求項１】
イオン注入装置に用いるビームストップであって、
イオンビームは、ビーム経路を横切る少なくとも一方向に走査され、
前記ビームストップは、
前記一方向でのビーム走査範囲に亘りビームを受けるため前記一方向に広がりをもつ寸法を有し、前記ビーム中のイオンを受けるように露出した面を提供する少なくとも一つの電荷収集部材を備え、前記一方向でのビーム走査の一部に限った期間に前記電荷収集部材がビームイオンを受けるように、前記露出した面が前記一方向において前記寸法以下の距離に亘り広がりを有し、
前記一方向でのビーム走査範囲に亘りビームを受けるため前記一方向に広がりを有するビームストッププレートをさらに備え、前記電荷収集部材は、前記ビームストッププレートから電気的に絶縁され、
前記一方向でのビーム走査範囲に亘りビームを受けるため前記一方向に広がりをもつ開口部を有する単一の電荷抑制ファラデーカップをさらに備え、前記電荷収集部材が前記ファラデーカップの内部に配される、
ビームストップ。
【請求項２】
前記ビームストッププレートがビームを受ける面を有し、前記電荷収集部材が前記面の後部に装着され、前記面にビームイオンを通過させて前記電荷収集部材上に衝突できるようにするため前記面が前記収集部材の正面にアパーチャを有する請求項１に記載のビームストップ。
【請求項３】
前記ビームストッププレートがビーム方向に前記収集部材より大きな厚さを有し、前記正面にある前記アパーチャの後部に空洞を備え、前記収集部材が前記空洞の内部に装着される請求項２に記載のビームストップ。
【請求項４】
前記電荷収集部材がロッドであり、前記アパーチャがスリットであり、前記ロッドと前記スリットが前記一方向を横切る広がりをもつ請求項３に記載のビームストップ。
【請求項５】
イオン注入装置に用いるビームストップであって、
イオンビームは、ビーム経路を横切る少なくとも一方向に走査され、
前記ビームストップは、
前記一方向でのビーム走査範囲に亘りビームを受けるため前記一方向に広がりをもつ寸法を有し、前記ビーム中のイオンを受けるように露出した面を提供する少なくとも一つの電荷収集部材を備え、前記一方向でのビーム走査の一部に限った期間に前記電荷収集部材がビームイオンを受けるように、前記露出した面が前記一方向において前記寸法以下の距離に亘り広がりを有し、
前記一方向でのビーム走査範囲に亘りビームを受けるため前記一方向に広がりを有するビームストッププレートをさらに備え、前記電荷収集部材は、前記ビームストッププレートから電気的に絶縁され、
前記ビームストッププレートがビームを受ける面を有し、前記電荷収集部材が前記面の後部に装着され、前記面にビームイオンを通過させて前記電荷収集部材上に衝突できるようにするため前記面が前記収集部材の正面にアパーチャを有し、
前記一方向でのビーム走査範囲に亘りビームを受けるため前記一方向に広がりをもつ開口部を有する単一の電荷抑制ファラデーカップを備え、前記電荷収集部材と前記ビームストッププレートが前記ファラデーカップの内部に配される、
ビームストップ。
【請求項６】
イオン注入装置に用いるビームストップであって、
イオンビームは、ビーム経路を横切る少なくとも一方向に走査され、
前記ビームストップは、
前記一方向でのビーム走査範囲に亘りビームを受けるため前記一方向に広がりをもつ寸法を有し、前記ビーム中のイオンを受けるように露出した面を提供する少なくとも一つの電荷収集部材を備え、前記一方向でのビーム走査の一部に限った期間に前記電荷収集部材がビームイオンを受けるように、前記露出した面が前記一方向において前記寸法以下の距離に亘り広がりを有し、
前記一方向でのビーム走査範囲に亘りビームを受けるため前記一方向に広がりを有するビームストッププレートをさらに備え、前記電荷収集部材は、前記ビームストッププレートから電気的に絶縁され、
前記ビームストッププレートがビームを受ける面を有し、前記電荷収集部材が前記面の後部に装着され、前記面にビームイオンを通過させて前記電荷収集部材上に衝突できるようにするため前記面が前記収集部材の正面にアパーチャを有し、
前記ビームストッププレートがビーム方向に前記収集部材より大きな厚さを有し、前記正面にある前記アパーチャの後部に空洞を備え、前記収集部材が前記空洞の内部に装着され、
前記電荷収集部材がロッドであり、前記アパーチャがスリットであり、前記ロッドと前記スリットが前記一方向を横切る広がりをもち、
前記一方向でのビーム走査範囲に亘りビームを受けるため前記一方向に広がりをもつ開口部を有する単一の電荷抑制ファラデーカップを備え、前記電荷収集部材と前記ビームストッププレートが前記ファラデーカップの内部に配される、
ビームストップ。
【請求項７】
前記ビームストッププレートが前記ファラデーカップから電気的に絶縁される請求項５または６に記載のビームストップ。
【請求項８】
前記ビームストップは、前記一方向に沿った異なる位置にあって互いに電気的に絶縁した複数の前記電荷収集部材から成る、請求項２または４に記載のビームストップ。
【請求項９】
三つの前記電荷収集部材が前記一方向に対称的に配置される請求項８に記載のビームストップ。
【請求項１０】
イオン注入装置であって、
イオンビーム発生装置と、
ビーム経路を横切る少なくとも一方向にイオンビームを走査する走査装置と、
走査したビームを受けるもので、基板を処理することができる処理ステーションを走査したビームの経路上に備える処理チャンバと、
走査したビームを終結させるため、および走査したビームに対し公称中心線を確立するために前記処理ステーションの後部にあるビーム端ステーションであって、その上方でビームの走査が行われたとき第一特性信号を出力する少なくとも一つの固定ビーム検出装置を提供する請求項１−４いずれか１項に記載のビームストップを含むビーム端ステーションと
を備えるイオン注入装置。
【請求項１１】
更に、前記少なくとも一つのビーム検出装置からの前記第一特性信号のタイミングに応答し、前記公称中心線に対する前記ビームの芯出しを指示する芯出し信号を出力する芯出しモニタを備える請求項１０に記載のイオン注入装置。
【請求項１２】
複数の前記固定ビーム検出装置が前記一方向に沿い配置される請求項１１に記載のイオン注入装置。
【請求項１３】
前記ビーム検出装置が前記公称中心線を中心に対称的に配置される請求項１２に記載のイオン注入装置。
【請求項１４】
前記走査装置が対称的三角波形に従いイオンビームを走査すべく動作し、任意一組の対称的に対向させた前記固定ビーム検出装置の各々からの連続した特性信号がそれぞれ第一、第二の交番する均一な時間間隔を有し、前記芯出しモニタが組になった検出装置の内の一つに関わる前記第一、第二の時間間隔と、前記組になった内のもう一方に関わる前記第一、第二の時間間隔との間に存在する差の関数として前記芯出し信号を出力する請求項１３に記載のイオン注入装置。
【請求項１５】
前記一つの固定ビーム検出装置が前記公称中心線上に配される請求項１１に記載のイオン注入装置。
【請求項１６】
前記走査装置が対称的三角波形に従いイオンビームを走査すべく動作し、前記芯出しモニタが中央の前記固定ビーム検出装置からの特性信号の時間間隔の非均一性に基づいて前記芯出し信号を出力する請求項１５に記載のイオン注入装置。
【請求項１７】
前記ビーム端ステーションにおける走査位置の端部からの走査したビームの前記一方向での距離が任意の時間に予測できるよう、前記走査装置が予め決めた波形に従いイオンビームを走査すべく動作し、前記芯出しモニタが周期的な走査信号のタイミングに対し前記少なくとも一つのビーム検出装置からの前記特性信号のタイミングの関数として前記芯出し信号を出力する請求項１１に記載のイオン注入装置。
【請求項１８】
前記走査装置が走査したビームを芯出しするための調整自在ｄｃ成分を含む周期的な走査信号に従いビームを偏向させるべく動作し、イオン注入装置が更に前記ビームを芯出しする前記ｄｃ成分を調整するため前記芯出し信号に応答する制御装置を備えた請求項１１−１７いずれか１項に記載のイオン注入装置。
【請求項１９】
更に、走査したビームの経路を平行に維持するため前記走査装置に組み合わせたコリメータと、
前記ビーム端ステーションの上流側に配し、前記一方向に移動ができ、ビームが移動ビーム検出装置の上方で走査されるとき第二特性信号を出力する前記移動ビーム検出装置と、
前記第一に述べた特性信号と、前記第二特性信号のタイミングの関数に応答しビーム芯合わせ信号を出力する芯合わせモニタとから成る請求項１０−１８いずれか１項に記載のイオン注入装置。
【請求項２０】
前記走査装置と前記コリメータの複合体が周期的な走査信号に従いビームを偏向すべく動作し、平行な走査したビームの経路方向を調整するため調整ができ、イオン注入装置が更に前記経路方向を必要なビーム経路方向に向けて調整するため前記走査装置と前記コリメータの複合体を制御すべく前記芯合わせ信号に応答する制御装置を備えた請求項１９に記載のイオン注入装置。
【請求項２１】
前記移動ビーム検出装置が前記一方向での目標位置まで前記移動ビーム検出装置を移動するため前記芯合わせ信号に応答する制御装置に応答する作動装置を有し、前記固定ビーム検出装置を遮蔽せぬよう前記移動ビーム検出装置が前記作動装置によって位置決めされるとき前記芯合わせ信号に応答する制御装置が前記第一特性信号のタイミングを測定し、前記移動ビーム検出装置が前記作動装置によって前記一方向に沿った予め決めた位置に位置決めされるとき前記第二特性信号のタイミングを測定すべく動作し、前記予め決めた位置が前記一方向に沿った前記固定検出装置の位置に対応し、前記第一特性信号について測定したタイミングとこれに対応する前記第二特性信号について測定したタイミングが実質上同一になるよう前記芯合わせ信号に応答する制御装置が前記経路方向を調整する請求項２０に記載のイオン注入装置。
【請求項２２】
前記走査装置が対称的三角波形に従いイオンビームを走査すべく動作し、前記芯合わせ信号に応答する制御装置が前記第一、第二特性信号の時間間隔を測定すべく動作し、前記第一特性信号の時間間隔が前記第二特性信号の対応する時間間隔と実質上同一になるよう前記経路方向を調整すべく応答する請求項２１に記載のイオン注入装置。
【発明の詳細な説明】
【０００１】
【発明の属する技術分野】
本発明はイオン注入装置（イオンインプランタ）、およびこのイオン注入装置の内部に用いるビームストップに関するものである。
【０００２】
【従来の技術】
イオン注入装置は、半導体ウェハの処理に長年に亘り使用されてきた。定型的に、必要とされる種類のイオンビームが形成され、イオンがウェハの表面下に注入されるようウェハ又は他の半導体基板に向けて方向設定される。イオンの注入は必要なドーパント（ドーピング剤）のイオンを半導体ウェハに注入することによってそのウェハ内に変化させた導電性状態の領域を形成するために適用される。
【０００３】
公知のイオン注入装置には米国特許第４，７３３，０９１号（ＡｐｐｌｉｅｄＭａｔｅｒｉａｌｓ，Ｉｎｃ．社に譲渡）に記載されるようなバッチタイプのインプランタと、米国特許第５，２２９，６１５号（Ｅａｔｏｎ  Ｃｏｒｐｏｒａｔｉｏｎ社に譲渡）に記載するような単一ウェハタイプのインプランタが含まれる。代表的なバッチタイプのインプランタにあっては、イオン注入が行われるウェハは実質的に直交する二方向の各々において固定イオンビームを介し繰り返し機械的に走査され、ウェハ面全体に亘って注入線量が確実に均一になる。代表的な単一ウェハタイプのインプランタでは、イオンビーム自体が比較的大きな走査速度で一直交方向を横切って走査され、イオン注入が行われる一枚のウェハは実質上第二の直交方向に走査されたビームを横切って機械的に前後に搬送される。
【０００４】
単一ウェハタイプのインプランタにあっては、イオンビームは静電的に、あるいは電磁的に走査することができ、ウェハに衝突するビームが走査の期間に目標とするビーム方向に平行に維持されるよう、走査したビームをコリメートするのが正規の常套的な方策である。
【０００５】
【課題を解決するための手段】
本発明の目的は、イオン注入をしようとするウェハに対して走査されたビームを適正に芯合わせし、かつ位置決めをするための装備を有するインプランタ（注入装置）を提供することである。本発明の各実施形態の更なる目的は走査ビーム方式のインプランタに使用するビームストップを提供することである。
【０００６】
従って、本発明は一つの相にあってビーム経路を横切る少なくとも一方向にイオンビームが走査されるイオン注入装置に用いるビームストップを提供するが、そのビームストップは前記一方向におけるビーム走査域に亘りビームを受けるため前記一方向に広がりをもつ寸法を備え、前記ビーム中のイオンを受ける目的で露出させた面を提供する少なくとも一つの電荷収集部材から成り、前記電荷収集部材が前記一方向でのビーム走査の一部に限られた期間にビームイオンを受けられるよう、前記露出面は前記一方向に前記寸法以下の距離に亘る広がりを有する。
【０００７】
この構成では、電荷収集部材に対し個別の電気的な接続ができ、ビームが前後に走査するとき電荷収集部材が受電する電流をモニタすることができる。電荷収集部材はビーム走査の一部に限った期間にビームイオンを受けるため、電荷収集部材からの電流信号はイオンビームの走査に同期して繰り返される特性形状を有する。電流信号のこの特性形状の特徴部のタイミングをイオンビームを走査するタイミングと比較することによって、ビームストップ自体に対する走査したビームの位置をモニタすることができる。
【０００８】
好ましくは、ビームストップには前記一方向におけるビームの走査域に亘りビームを受けるため前記一方向に広がりをもつビームストッププレートが含まれ、前記電荷収集部材はビームストッププレートから電気的に絶縁される。従って、ストップビームプレートにはビームを受ける面を備えることができ、電荷収集部材はその面の後部に装着してもよく、その面には電荷収集部材の前面にアパーチャ（開口部）があり、ビームイオンがその面を通過し電荷収集部材に衝突できるようにする。このようにして、電荷収集部材の露出面はビームの走査方向に比較的小さくすることができ、その結果、電荷収集部材からの電流信号はビームがビームストッププレートの面にあるアパーチャ全域に亘り走査するとき特性なパルス形状を提示する。従って、ビーム走査に対するこのパルスのタイミングをビームストップに対する走査したビームの位置のモニタに利用できる。
【０００９】
ビームストッププレートは通常、これに衝突するイオンビームのエネルギーを吸収するのに十分な厚さにすべきである。そのプレートは通常、水で冷却することになる。定型的に、ビームストッププレートはビーム方向において電荷収集部材より厚く、従って、ビームストッププレートの対峙する表面上にあるアパーチャの後部に空洞を備え、電荷収集部材はこの空洞内に装着される。
【００１０】
電荷収集部材はロッドにすることができ、ビームストッププレートの対峙表面にある前記アパーチャはスリットでよく、従って、ロッドとスリットは共にビーム走査方向を横切る広がりをもつことになる。
【００１１】
一実施形態において、ビームストップは前記一方向におけるビームの走査域に亘りビームを受けるため前記一方向に広がりをもつ開口部を備えた単一の電荷抑制ファラデーカップから成り、前記電荷収集部材は前記ファラデーカップの内部に配される。従って、ビームストッププレートもファラデーカップの内部に配され、通常、ファラデーカップから絶縁され、ビームストップに吸収される全ビーム電流をモニタするため電流信号をビームストッププレートから得られるようにする。
【００１２】
それぞれ好ましい実施形態にあって、ビームストップ、ビームストッププレート又はファラデーカップ開口部はビームの走査域全体に亘る広がりをもたせることができる。
【００１３】
好ましい構成では、互いに電気的に絶縁した複数の前記電荷収集部材が走査方向に沿って異なる位置に設けられる。従って、以下に説明するように、例えば移動ファラデーカップ又は他の検出装置に使用する電荷収集部材の各々から個々の特性電流信号が得られ、走査したビームが走査の期間にビームストップ上に正しく芯出しされ、必要とされるビーム方向に芯合わせされ、平行に維持されていることがモニタされる。
【００１４】
便宜上、三つの前記電荷収集部材がビーム走査方向において対称的に配置される。
【００１５】
本発明はイオンビーム発生装置と、ビーム経路を横切る少なくとも一方向にイオンビームを走査する走査装置と、走査したビームを受け、基板を処理することができる処理ステーションを走査したビームの経路内に備えたプロセスチャンバと、前記処理ステーションの後部にあって走査したビームを終結させ、走査したビームに対し公称中心線を定義するビーム端ステーションとから成り、前記ビーム端ステーションには固定ビーム検出装置の上方でビームが走査されるとき特性信号を出力する少なくとも一つの前記検出装置が含まれるイオン注入装置をも提供する。好ましくは、イオン注入装置には更に前記少なくとも一つのビーム検出装置からの各前記特性信号のタイミングに応答し、前記公称中心線に対する前記ビームの芯出しを指示する芯出し信号を出力する芯出しモニタが含まれる。
【００１６】
好ましくは、その、あるいは各々の固定ビーム検出装置は上述した種類のビームストップの内部にある各電荷収集部材で構成する。
【００１７】
複数の前記固定ビーム検出装置は前記一方向に沿った前記公称中心線を中心に対称的に配置してもよい。好ましくは、前記走査装置は対称的三角波形に従い動作してイオンビームを走査すべく動作し、任意一組の対称的に対向させた前記固定ビーム検出装置の各々からの連続した特性信号にはそれぞれ第一、第二の交番する均一な時間間隔があり、前記芯出しモニタは前記一組の検出装置内の一方に対する前記第一、第二時間間隔と、前記一組の内のもう一方に対する前記第一、第二時間間隔との間にある差の関数として前記芯出し信号を出力する。
【００１８】
他の構成にあっては、前記公称中心線上に一つの固定ビーム検出装置を設けてもよい。従って、更に前記走査装置が対称的な三角走査波形を出力する場合、前記芯出しモニタは前記中央の固定ビーム検出装置からの連続した特性信号の時間間隔における非均一性の関数として前記芯出し信号を出力する。
【００１９】
代替えの構成では、一つの固定ビーム検出装置は前記中心線から既知の距離に配してもよく、従って、前記芯出しモニタは前記ビーム検出装置からの各特性信号のタイミングを前記走査信号の波形と比較すべく動作する。
【００２０】
好ましくは、走査装置は走査したビームを芯出しするための調整自在ｄｃ成分を含む周期的な走査信号に従いビームを偏向させるべく動作し、イオン注入装置には更に前記芯出し信号に応答し前記ｄｃ成分を調整して前記ビームを芯出しする制御装置が含まれる。
【００２１】
他の実施形態において、イオン注入装置は、更に、走査したビームの経路を平行に維持するため前記走査装置に組み合わせたコリメータと、前記ビーム端ステーションの上流側に配し、前記一方向に移動でき、移動ビーム検出装置の上方でビームが走査されるとき第二の特性信号を出力する前記移動ビーム検出装置と、前記第一に述べた特性信号と前記第二の特性信号のタイミングの関数に応答してビーム芯合わせ信号を出力する芯合わせモニタとから成る。
【００２２】
好ましくは、前記走査装置／コリメータ複合体は周期的な走査信号に従いビームを偏向させるべく動作し、走査した平行ビームの経路方向を調整すべく調整自在であり、イオン注入装置には、更に、前記芯合わせ信号に応答して必要なビーム経路方向に向けて前記経路方向を調整するため走査装置／コリメータ複合体を制御する制御装置が含まれる。
【００２３】
好ましくは、前記移動ビーム検出装置は前記制御装置に応答し、前記一方向における各目標位置まで前記検出装置を移動する作動装置を備え、前記制御装置は移動ビーム検出装置が前記固定ビーム検出装置を遮蔽せぬよう前記作動装置によって位置決めされるとき前記走査波形に対する前記第一の特性信号のタイミングを測定し、移動ビーム検出装置が前記一方向に沿った予め決めた位置に作動装置によって位置決めされるとき前記走査波形に対する前記第二の特性信号のタイミングを測定すべく動作し、前記予め決めた位置は前記一方向に沿った前記固定ビーム検出装置の位置に対応し、前記制御装置は対応する前記測定した各タイミングが実質上同一になるよう、前記測定した各タイミングに応答して前記ビーム経路方向を調整する。
【００２４】
更なる局面において、本発明はイオンビーム発生装置と、ビーム経路を横切る少なくとも一方向にイオンビームを走査し、走査したビームの経路を平行に維持する走査装置／コリメータと、走査した平行なビームを受け、基板を処理することができる処理ステーションを走査したビームの経路に備えたプロセスチャンバと、走査したビームを終結させるため前記処理ステーションの後部に配し、固定ビーム検出装置の上方でビームが走査されるとき各第一の特性信号をそれぞれ出力するもので、前記一方向に沿い各間隔を開けた位置にある少なくとも二つの前記固定ビーム検出装置を含むビーム端ステーションと、前記ビーム端ステーションの上流側に配し、前記一方向に移動でき、ビームが移動ビーム検出装置の上方で走査されるとき第二の特性信号を出力する前記移動ビーム検出装置と、前記一方向に沿った移動ビーム検出装置の少なくとも二つの間隔を開けた位置で前記第一と、前記第二の特性信号の少なくともタイミングの関数に応答し、前記走査したビームの平行度を指示するコリメーション信号を出力する平行度モニタとから成るイオン注入装置を提供する。
【００２５】
従って、好ましくは、前記移動ビーム検出装置は前記制御装置に応答して前記一方向における目標位置まで前記検出装置を移動する作動装置を備え、前記制御装置は各固定ビーム検出装置を遮蔽せぬよう前記作動装置によって移動ビーム検出装置が位置決めされるとき各前記第一の特性信号のタイミングを測定し、各前記固定ビーム検出装置の位置にそれぞれ対応する前記一方向に沿った予め決めた位置に移動ビーム検出装置が作動装置によって位置決めされるとき前記第二の各特性信号のタイミングを測定すべく動作し、前記平行度モニタは前記測定したタイミングに応答して前記コリメーション信号を出力する。
【００２６】
処理をする基板は定型的には半導体基板であるが、平坦パネル状のポリマ基板を使用してもよい。
【００２７】
以下は例を挙げるやり方で本発明の好ましい実施形態についてのみの説明である。
【００２８】
【発明の実施の形態】
図１を参照すると、注入のためのイオンのビームはイオンソース１０によって形成される。目標とする質量／エネルギー比のイオンのみが分析器磁石１１の出口にある質量選択スリット１２を通過するよう、イオンソース１０からのイオンは分析器磁石１１を通過する。目標とする質量／エネルギー比のイオンのビーム１３はビーム走査装置１４に入り、そこでビームはビーム経路を横切る方向において図１の用紙の平面内で前後に偏向される。ビームは定型的には走査装置１４によって１００〜２００Ｈｚ範囲の比較的大きな繰り返し速度で走査することができる。
【００２９】
走査装置１４から出てくる走査したビーム１５はコリメータ１６に入る。ビームが前後に走査されるときコリメータ１６から出てくる走査したビーム１７が目標のビーム経路に実質上平行に維持されるよう、コリメータ１６は走査したビーム１５をビームの走査位置によって異なる量だけ曲げるように構成されている。
【００３０】
コリメータ１６から出てくる平行な走査したビーム１７はプロセスチャンバ１８に入り、そこでビームはウェハホルダ２０上に装着したウェハ１９上に衝突することができる。走査装置１４とコリメータ１６は走査したビーム１７がウェハホルダ２０上のウェハ１９のまさしく幅全体に亘り広がりをもち、ビームが前後に走査されるときウェハを横切る一本の縞を効果的に描くような設計である。
【００３１】
ウェハの総ての部分にビームのイオンが注入されるよう、走査したビーム１７の水平面全体に亘りウェハホルダ２０と、それに装着したウェハ１９に往復運動をさせる作動装置２２が保持する往復走査アーム２１にウェハホルダ２０自体が装着される。通常、ウェハホルダ２０の往復走査運動は定型的には１Ｈｚのオーダである比較的低い繰り返し速度で行われる。
【００３２】
これまで解説してきたイオン注入装置の構成要素は公知のイオン注入装置、特に単一ウェハに一時に一枚の割合でイオン注入するもので、イオンビームが横一方向に走査され、その間ウェハは直交方向に機械的に往復運動するハイブリッド走査システムを採用したインプランタにおける構成にしてもよい。この種のイオン注入装置は例えばＷＯ９９／１３４８８号に解説されている。図１に記載する本発明の例証におけるイオンソース、質量分析及び走査／コリメーションの各構成は当該技術に詳しい者にとって公知の種類にすることができる。例えば、走査装置１４は電磁走査方式、あるいは静電走査方式のいずれかを採用でき、同様に、コリメータ１６には磁界又は静電界を用いてもよい。
【００３３】
上述した従来技術の明細書には、プロセスチャンバ１８内でウェハホルダ２０に往復運動をさせる特殊な機械的システムが開示されているが、それに代えて何らかの適切な機械的構成を採用してもよい。
【００３４】
プロセスチャンバ１８の内部にあって、ビームストップ２３はウェハホルダ２０の後部に配され、走査されたビームを走査面内の走査全域に亘って受ける。更に、移動ファラデーカップ２４がウェハホルダ２０のすぐ後部に設けられる。移動ファラデーカップはその上方で行われるイオンビームの走査に応答し電流パルスを出力する設計である。ファラデーカップ２４はイオンビームの走査域に亘る様々な点でイオンビームによって与えられるイオン線量率の測定値を求めるために使用してもよい。この目的で、移動ファラデーカップ２４はイオンビームの方向を横切って、即ち走査したビームの走査範囲に亘って異なる位置に向かって矢印２５が示す方向に移動することができる。ファラデーカップに対する極限位置を図２に３４と３５で示す。
【００３５】
ウェハホルダ２０上のウェハ１９にイオン注入が行われる期間に亘り、ファラデーカップ２４はイオンビームの走査範囲の一端近傍、即ちウェハホルダー２０の端縁部を僅かに離れた位置に配し、イオンの注入期間にイオンビームの線量供給率を指示する信号を出力するようにしてもよい。
【００３６】
ファラデーカップの用途を上述で説明した限りにおいて、走査ファラデーカップ２４は前文に述べた従来技術の明細書ＷＯ９９／１３４８８に記載されたイオン注入装置に開示されているファラデーカップと同じ機能をする。
【００３７】
ここで図２を参照すると、図１に記載のプロセスチャンバ１８内の部品の構成を一層詳しく説明する。プロセスチャンバに入るイオンビームは図２に２６で示し、走査した領域がそれぞれ上限２８と下限２９に亘る広がりとなるようイオンビーム２６の平行走査は矢印２７で示す。
【００３８】
ウェハホルダ２０上の半導体ウェハ１９は図２に破線の輪郭で示す。
【００３９】
移動ファラデーカップ２４は作動装置３１から伸びるシャフト３０に装着したところが示され、その作動装置もプロセスチャンバ１８の真空閉鎖構造壁部３２に装着される。
【００４０】
ビームストップ２３は図２に概略が示され、ビームストップの設計に付いての詳細は図３、図４に観察することができる。図２、図３、図４に記載するビームストップの対応部品には同一の照合番号が付されている。
【００４１】
図示するように、ビームストップはビーム走査の範囲全域に亘りビームをファラデーカップに受けるため、走査したビームの走査方向２７に十分な幅をもつビームアパーチャ４１を備えたファラデーカップ４０から成る。他方、ビームストップのファラデーカップ４０のアパーチャ４１はビームをビーム直径全体で受けることを唯一目的に、ビームの走査方向を横切る寸法である。従って、図３にビームの走査面内でとらえた断面でビームストップを示し、アパーチャ４１の大きな寸法が記載されているが、図４はビームの走査面に垂直な面内でのビームストップの断面で、アパーチャ４１の小さい側の寸法が示されている。
【００４２】
ビームストッププレート４２はアパーチャ４１に面するようにファラデーカップの後部に配される。ビームストッププレートは定型的に黒鉛で製作し、ファラデーカップのケーシングから電気的に絶縁する。ビームストッププレート４２はファラデーカップに入るビームイオンがプレート４２に衝突するよう、ファラデーカップの内部に走査したイオンビームの全走査範囲に亘る広がりを有する。
【００４３】
ビームストッププレート４２は、冷却水を接続部４５、４６から供給できるようにした冷却チャンネルを備えた水冷支持プレート４３上に装着される。
【００４４】
ビームストッププレート４２は水冷支持プレート４３に直接接触させてもよいが、その複合した構造体は電気的に絶縁する。それ故、ビームストッププレート４２によって吸収されるビーム電流は図２に概略を示す電気接続部５０を介しモニタすることができる。
【００４５】
ビームストップ４０のファラデーカップ４１の内部にはライナ５１、５２が設けられている。ビームストッププレート４２の至近にある内側ライナ５１はビームストッププレートに電気的に接続してもよいが、アパーチャ４１に隣接する外側ライナ５２は内側ライナから絶縁し、それ自体はビームストップのケーシングに接続できる。図４、図５に見られるように、ビームイオンによる衝撃の結果、ビームストッププレート４２から放出されることがある二次的電子と、他の荷電粒子を吸収するため、内側ライナ５１はビームストッププレート４２の前方のビーム方向に予め決めた距離に亘る長さを有する。
【００４６】
界磁線が図４の用紙の平面に実質上平行に、かつ、アパーチャ４１の大きい側の寸法全体に亘り広がる磁界をファラデーカップのアパーチャ４１に渡して形成すべく、永久磁石５３、５４はファラデーカップ４０の幅狭な寸法の対向する側に配される。この磁界はビームストップ４２によって放出される比較的低速で移動する荷電粒子のファラデーカップからの散逸防止に有効であり、特にこれら粒子がビームストッププレート４２に戻って吸収される、あるいはビームストッププレート４２に電気的に接続した内側ライナ５１によって吸収されることを確実にする。同様に磁界は外部電子がファラデーカップに入るのを防止し、界磁によって偏向されてファラデーカップの壁部に衝突する外部電子は外側ライナ５２に衝突する。このような方式で、ファラデーカップは任意の時間にファラデーカップに入るビーム電流の数量を正確にモニタする役割を果たす。
【００４７】
この一般的な種類のビームストップは当該技術に精通した者にとっては公知なものとなる。このようなビームストップはイオンビームが注入に使用されていないとき、定型的にはイオン注入装置のビーム電流のモニタに使用されるため、目標ターゲットはビームから離して配される。勿論、本例では、ビームストップは走査したビームを受けるような寸法である。
【００４８】
図２、図３、図４に記載のビームストッププレート４２にはその端縁部から内部に向けて機械加工し、ビームストッププレートの大きい方の寸法には垂直な方向に、小さい方の寸法の実質上全体に亘り横に伸びる五つの中ぐり穴６０〜６４が含まれる。中ぐり穴６０〜６４はビームストッププレート４２の厚さ以下の寸法である。
【００４９】
ビームストッププレート４２の前面７０には狭いスリット６５〜６９が設けられ、それぞれの中ぐり穴６０〜６４の内部に連通する。図に示すように、スリット６５〜６９は中ぐり穴６０〜６４のそれぞれの軸に芯合わせされ、ファラデーカップ４０に入り、ビームストッププレート４２に衝突するイオンビームの大部分を取り囲むに十分な距離をプレート４２の小さい方の寸法に亘り横に伸ばしている。しかし、ビームストッププレートの小さい方の寸法に亘るに各スリット６５〜６９の長さが重要ということではない。
【００５０】
ビーム電流収集ロッド７３はビームストッププレート４２の中央部に配した中ぐり穴６２に装着される。同様なビーム電流収集ロッド７４と７５が中央中ぐり穴６２の両側にある内側一組の中ぐり穴６１、６３の内部に同軸に取り付けられる。外側二つの中ぐり穴６０、６４は２００ｍｍウェハに使用する設計であるこの実施形態では用いられない。イオン注入装置を３００ｍｍウェハ用に変更するとき、ロッド７４、７５は外側中ぐり穴６０、６４に装着し、内側中ぐり穴６１、６３は使用しない。
【００５１】
図４に最もよく観察されるように、電流収集ロッド７３、７４、７５の各々は円筒形黒鉛ライナ７６で形成し、頭部凹型締め付けボルト７８を介しスチールロッド７７に支持される。ボルト７８はロッド７７の下部自由端にねじ込み（図４に示すように）、ロッド７７の上端は電気的な真空貫通接続部７９として伸びてカバー８１で保護されるロッド７３への接続点８０を形成する。
【００５２】
それぞれの接続点８０により各ロッドに個別の電気接続ができるよう、ロッド７３、７４、７５の各々はビームストッププレート４２から電気的に絶縁する。これらの接続は線８１、８２、８３によって図２に概略が示される。
【００５３】
運転時、ビームがスリット６６、６７、６８の各々を横に走査されるとき、若干のビームイオンはスリットを通過し、ビームストッププレート内部の中ぐり穴に収めた各電流収集ロッド上に衝突することが観察できる。その衝突によって各ロッド上に収集される電荷はそれぞれ電気的ライン８１、８２、８３に沿って流れ、モニタすることができる。実際上、ビームがスリット上で走査されると、電流パルスは各ライン８１、８２又は８３で検出できる。これらのパルスはタイミングパルスとして使用できる。
【００５４】
電流収集ロッドの一つと、それに組み合わせたスリットで提示されるビーム電流収集装置はスリットを通過する総てのビームイオンが各ライン８１、８２、又は８３に沿い流れる対応する単位の電荷の供給となることを確実にするという意味では電荷抑制が行われないことを理解されたい。それでも、ビームが各スリットを通過するとき各ラインに電流パルスが形成されることになり、この電流パルスはタイミング設定を目的に利用できる。
【００５５】
図２に示すように、ビームストッププレート４２にあるそれぞれの電流収集ロッドからのライン８１、８２、８３は、ライン５０に沿ったビームストッププレート４２本体からの線も接続されている制御装置９０に接続される。制御装置９０では、ライン５０、８１、８２、８３の電流は加算合計され、任意の時間にビームストップに放出が行われているビーム電流合計の正確な数値が出力される。ライン８１、８２、８３の電流パルスのタイミングはこれから詳しく説明するように、走査したビームの芯合わせ、芯出し及び平行度の設定と確認にも使用される。
【００５６】
本明細書に解説するビーム走査方式の単一ウェハタイプのイオン注入装置には必要条件があり、それは走査したビームがイオン注入チャンバの中心線上で、特に走査面内で正しく芯出しされることを確実にし、走査したビームがチャンバ内を通る目標のビーム経路に対しチャンバ内で正しく芯合わせされることを確実にし、走査したビームが走査範囲に亘り目標のビーム経路に平行に維持されることを確実にすることである。これらの必要条件はウェハへのドーパントイオンの供給率がイオン注入運転の期間にモニタできるよう、走査したビームがイオン注入をしているウェハの面全体をカバーし、ウェハの一方の側に配すことができるファラデーカップを走査したビームがイオン注入の期間に走査毎に正しく横切ることも確実にする上で必要である。
【００５７】
ウェハホルダ２０上のウェハ１９のようなウェハのイオン注入の期間、移動ファラデーカップ２４は図２の９５で破線輪郭をもって示されるように、ウェハホルダ２０の位置の一方の側に位置決めされる。従って、ビーム２６が矢印２７の方向にあって前後に走査されるとき、ビームは各ビーム走査の一端で移動ファラデーカップ９５全体に亘り前後に横切ることになる。ビームがファラデーカップ９５を横切るとき、ファラデーカップの正面プレートにあるスリット９６を通過するビームイオンによってある量の電荷が移動ファラデーカップ２４に供給されるが、この電荷量はビーム２６の走査速度に関しウェハの一エリヤに供給されている線量単位の測定値となり、ウェハの上方をビームが走査して通過する毎にスリット９６の幅に対応する。そこで、ウェハ全面に亘るドーパント線量の均一な供給を確実にし、かつ又イオン注入運転の終了時までにウェハの全領域への適正な線量の供給を確実にすべくイオン注入装置のプロセスパラメータを調整するため、当該技術にあっては公知であるように調整してもよい。
【００５８】
ビーム２６が前後に走査されるとき、ビームが正確に目標のビーム方向に平行に維持されなければウェハに供給される線量に誤差が発生することがある。更に、ビーム２６が目標のビーム方向に正確に芯合わせした状態に維持されなければ、イオンは正しくない角度でウェハに注入されることがある。
【００５９】
図２では、イオン注入チャンバの目標中心線は９７で示され、ビームストップ２３のビームストッププレート４２にある中央電流収集ロッド７３と、それに組み合わせたスリット６７はこの中心線９７上で芯合わせされているのが観察される。上部、下部電流収集ロッド７４、７５はそれに組み合わせたスリット６６、６８が中心線９７の相対する側に等距離で対称的に配されることも観察される。
【００６０】
既に言及したように、ａ）イオンのビーム２６が中心線９７の両側で対称的に走査され、即ち走査したビームが効果的に芯出しされ、ｂ）ビーム２６が中心線９７に正確に芯合わせされ、ｃ）ビーム２６が走査されるとき、そのビームが正確に中心線９７に平行に維持されるよう、即ち走査の期間にビームの平行度が維持されるよう、イオン注入装置を段取りすることが重要である。イオンインプラタの段取り時にビームストップ２３は移動ファラデーカップ２４と組み合わせて使用し、前文に述べたビームの芯出し、芯合わせを行い、平行度が与えられるよう確認をし、あるいは調整をできるようにすることが可能である。
【００６１】
図５はビームの走査波形に対する電流収集ロッド７３、７４、７５からのパルスのタイミングを走査したビームを横断する移動ファラデーカップ２４の様々な位置でそのファラデーカップが受ける電流パルスのタイミングと共に解説するタイミング図表である。
【００６２】
図５における上部トレース（記録線図）１００は、イオンビーム２６の走査波形を表す。図に示すように、矢印２７の方向でのビーム２６の横走査の速度が常時、実質的に一定であり、走査の各端における反転時間が最小化されるよう、ビームは対称的三角波形に従い前後に走査される。この三角走査波形は定型的にイオンビーム走査装置１４とコリメータ１６の少なくとも段取りの期間に使用することができ、またたとえ一旦セットがされた場合でも、前記三角走査波形は実際のイオン注入期間に多少の修正が行われることを知っておく必要がある。
【００６３】
図５のトレース１０１は、ビームストップ２３のビームストッププレート４２にあって、組み合わせたスリットが６７である中央ロッド７３からの電流パルスのタイミングを表す。走査波形１００が実際に対称的三角波形であると仮定すると、中央タイミングスリット６７からの電流パルスには交番する一定な時間ｔ１とｔ１’がある。走査したビームがスリット６７の両側に対称的に広がりをもつよう芯出しされるとき、そこでは以下の関係が成り立つ。
【００６４】
ｔ1＝ｔ1’
従って、走査したビームの適正な芯出しを確認するには、ライン８１に接続した中央電流収集ロッド７３から電流パルスを受信する制御装置９０はライン８１上の連続パルスの時間間隔をモニタし、制御装置からライン１１０上に数値ｔ1−ｔ1’を表す信号を出力する構成にする。
【００６５】
図５のタイミング図を再度参照すると、トレース１０２は組み合わせたタイミングスリットが６６である電流収集ロッド７４からの電流パルスのタイミングを表し、トレース１０３は組み合わせたタイミングスリットが６８である電流収集ロッド７５からのパルスのタイミングを表す。トレース１０２上の電流パルスには交番する長時間間隔ｔ2と短時間間隔ｔ3がある。同様に、トレース１０３におけるパルスは交番する長時間間隔ｔ2’と短時間間隔ｔ3’を有する。二つのタイミングスリット６６、６８は中央スリット６７の両側に対称的に配されるため、走査したビームがビームストップ上に正しく芯出しされるとき以下の関係が成り立つ。
【００６６】
ｔ2＝ｔ2’及びｔ3＝ｔ3’
以下の関係が記載され、
ｔ2＋ｔ3＝ｔ2’＋ｔ3＝τ
ここでτは走査波形τの周期である。
【００６７】
従って、ライン８２、８３上のタイミングパルスは走査したビームの芯出し制御に用いる信号をライン１１０上に発現させるため制御装置９０に使用してもよい。
【００６８】
実際上、走査したビームの真の中心線はビームコリメータを焦にして定義することができる。この時、製造上の許容差が名目上中央となるスリット６７を真の中心線から僅かに外して配してしまう結果となることがある。それでも、スリット６７の位置によって確立される公称中心線と、真の中心線との間の誤差が分かればビームの正しい芯出しを確実にすることができる。
【００６９】
走査したビームの芯合わせと、さらにビームの平行度もチェックするには、タイミング信号もまた移動ファラデーカップ２４から引き出さねばならない。移動ファラデーカップ２４が正確にイオン注入チャンバの中心線９７上にくるよう作動装置３１によって配される場合には、そこで、移動ファラデーカップ２４からのタイミング信号はビームストップ２３にある中央電流収集ロッド７３と、それに組み合わせたタイミングスリット６７からのタイミング信号の場合と同じ走査波形上の点に現れるようにする必要がある。
【００７０】
実際上、ビームストップ２３の各タイミングスリットからのタイミングパルスを測定しようとするとき、その各タイミングスリットに影を投じたり、そのスリットを遮蔽せぬように移動ファラデーカップ２４がプロセスチャンバ内に位置決めされるよう、制御装置９０はライン１１３上の位置情報フィードバック信号と共にライン１１２上の信号を介して移動ファラデーカップ２４の位置を制御する構成にする。
【００７１】
一つの例において、三つの電流収集ロッド７３、７４、７５全てからのパルスのタイミングを測定している間に移動ファラデーカップは制御装置９０によってビームストップ２３から完全に外して保持されてもよい。その後、制御装置９０が図２に記載するように移動ファラデーカップ２４を中心線９７上の中央位置に移動することができ、次いで、この位置での移動ファラデーカップを横切るイオンビーム走査によって生じる電流パルスのタイミングを測定することができる。これらの電流パルスはライン１１４を介し制御装置９０に供給される。
【００７２】
中央位置にあるときの移動ファラデーカップ２４からの電流パルスのタイミングを図５のトレース１０６に示す。トレース１０６にあって、これらのタイミングパルスはビームストップにある中央タイミングスリットからのタイミングパルス１０１と比較し、波形１００に対し僅かに異なる時間に現れるところが示されている。移動ファラデーカップ２４が正しく中心線９７上にあると仮定すると、そのファラデーカップからの電流パルスに対するこのタイミングの差は走査したビームの芯狂いを表す（ビームストップによって確立される公称中心線がコリメータを基準にした真の中心線に正確に芯合わせされていると仮定して）。走査したビームが中心線９７に正しく芯合わせされるのであれば、トレース１０６で表されるパルスはｔ6＝ｔ6’の時間で等間隔にあると思われる。従って、制御装置９０はパルス相互間の間隔をモニタし、イオンビームの芯狂いを表す補正信号をライン１１５に出力する構成である。
【００７３】
走査したビームの幅に亘っての異なる位置でのイオンビームの芯合わせの状態はまた、ビームストップにあるスリット６６又は６８のいずれかに正確に対応する位置に移動ファラデーカップを位置決めし、次いで、適切な位置にある移動ファラデーカップからのパルスタイミングをビームストップの関連するタイミングスリットによって出力されるパルスタイミングに対応することを確実にすれば測定ができるであろうことが理解されよう。ビームが前後に走査されるとき、走査されるビームが中心線９７に平行に維持されていることのチェックにこの手続は実際に使用される。
【００７４】
従って、走査するファラデーカップ２４は次いでビームストップにある上部タイミングスリット６６に対応する位置にまず位置決めされ、そこでファラデーカップ２４からのタイミングパルスが測定される。次いで、移動ファラデーカップ２４はビームストップ２３の下部タイミングスリット６８に対応する位置に位置決めされ、更なるタイミングパルスが測定される。上部位置に対するタイミングパルスは図５にトレース１０５によって表し、下部位置に対するタイミングパルスはトレース１０４によって表わされている。ビームが正確に平行であり、芯合わせされていれば、上部位置にあるとき移動ファラデーカップからの電流パルスの時間間隔ｔ4、ｔ5（トレース１０５）はビームストップ２３にある上部タイミングスリット６６に対する時間間隔ｔ2、ｔ3とは同じになるはずである。同様に、走査したビームが正しく芯合わせされ、平行であれば、下部位置にあるとき移動ファラデーカップからのパルスのタイミングｔ4’とｔ5’（トレース１０４）はビームストップにある下部タイミングスリット６８のパルスのタイミング（ｔ2’とｔ3’）に一致しなければならない。
【００７５】
従って、制御装置９０は下部位置と上部位置の各々における移動ファラデーカップ２４からの電流パルスのタイミングを測定し、これらのタイミングをビームストップの各タイミングスリットから先に求めた各タイミングと比較し、次いで、走査したビームに平行度の欠けていることを表す信号をライン１１６に出力するように構成されている。
【００７６】
制御装置９０からライン１１０、１１５に出力される制御信号は走査装置／コリメータ制御ユニット１１１に供給され、走査装置１４へのライン１１７上の駆動信号と、コリメータ１６へのライン１１８上の駆動信号の調整に用いられる。当該技術に詳しい者にとって、ビームの芯狂いを補正し、制御装置９０からの制御信号に応答し正しいビーム芯出しを確実にするために必要とされるライン１１７、１１８上の走査駆動及びコリメータ駆動に対する修正はごく普通のことであろう。
【００７７】
ライン１１９上のタイミング信号は、走査装置／コリメータ制御ユニット１１１によって制御装置９０に供給されて、ビームストップの各タイミングスリットからと、移動ファラデーカップからの各電流パルスのタイミングをモニタするための基準点を提供する。ライン１１９上のタイミング信号は、例えば走査波形転向点のタイミングを現すことができる。しかし、ビームが対称的でかつ三角波形に従い走査され、ビームストップと移動ファラデーカップからの各電流パルスを測定する特定の手続が行われる間に一定の期間と振幅を有する限り、前文に説明したように、ライン１１０、１１５、１１６上の適切な補正信号は各種パルス信号のタイミングから制御装置９０によって純粋に求めることができる。
【００７８】
ビームストップ２３にあるタイミングスリットが基準中心線９７の両側に対称に配列され、芯合わせと平行度を確認するため、対応するタイミングパルスを出力しているとき移動ファラデーカップ２４がこれらタイミングスリットに芯合わせされて正確に位置決めされるのであれば好ましいことではあるが、他の構成も可能である。例えば、ビームストップ２３にある二つのタイミングスリット６６、６８が中心線９７の相対する側で異なる距離（ｄ1、ｄ2）に配されるとすれば、これら二つの非対称的なスリットからの各電流パルスのタイミングはそれでもビームストップ上の走査したビームの芯出し確認に使用できる。このとき、ビームを適正に芯出しするには以下の方程式を満たさねばならない。
【００７９】
（ｔ2−ｔ3）／（ｔ2’−ｔ3’）＝ｄ1／ｄ2
更に、走査したビームが平行であると仮定したとしても、ビームの芯合わせはそれでも中心線からｄ1位置にあるビームストップの単一タイミングスリットからのタイミングパルスを用い、かつ、中心線から別な位置ｅ1に位置決めした移動ファラデーカップからのタイミングパルスに従い確認できる。従って、正しい芯合わせをするには以下の方程式を満たさねばならない。
【００８０】
（ｔ2−ｔ3）／（ｔ4−ｔ5）＝ｄ1／ｅ1
ここで、ビームストップのスリットからのパルスの時間間隔はｔ2とｔ3で表し、移動ファラデーカップからの各パルスの時間間隔は時間ｔ4とｔ5で表される。
【００８１】
ビームの平行度は中心線から異なる距離ｄ1とｄ2におけるビームストップの各タイミングスリットからのタイミング測定値と、中心線から位置ｅ1とｅ2にある移動ファラデーカップからのタイミングパルスを用いて確認することができる。従って、正しい平行走査をするには、以下の方程式を満たさねばならない。
【００８２】
（ｔ2’−ｔ3）／（ｔ4’−ｔ5）＝（ｄ1＋ｄ2）／（ｅ1＋ｅ2）
ここで、位置ｄ1とｄ2にあるビームストップの各タイミングスリットからのパルスの時間間隔ははそれぞれｔ2、ｔ3とｔ2’、ｔ3’であり、中心線からｅ1とｅ2だけ間隔を開けた各位置における移動ファラデーカップからのパルスの時間間隔はそれぞれｔ4、ｔ5とｔ4’、ｔ5’である。
【００８３】
一層簡単に、ビームが既に中心線に芯合わせされ、ビームストップにおいて芯出しがされていると確認できるとすれば、中心線からｄ1だけ間隔を開けたビームストプにあるもう一つのタイミングスリットと、中心線からｅ1だけ間隔を開けた移動ファラデーカップ２４の一つの位置で平行度の確認ができる。従って、平行度の確認には以下の方程式を満たさねばならない。
【００８４】
（ｔ2−ｔ3）／（ｔ4−ｔ5）＝ｄ1／ｅ1
様々なタイミングスリットからのパルス相互間間隔の持続期間の測定に代え、例えばビームの各走査の始まりにすることができる基準時間に対しパルスのタイミングを測定することも可能である。従って、ビーム走査の全一サイクルに５１２単位の時間から成る既知の持続期間があれば、中央タイミングスリットからの第一パルスがＴ１＝１２８の時間にあれば、即ち三角走査波形を仮定し、ビームストップ全幅に亘るビームの１／２サイクルの１／２（又は一方向での横切り）の時間にあるときビームの芯出しを確認することができる。あるいはそれに代わって、中央スリットの両側に対称的に配列したそれぞれのタイミングスリットからのパルスを使用し、
Ｔ２＝２５６−Ｔ３
ここで、Ｔ２とＴ３は二つのスリットからのパルスの時間である。
【００８５】
時間Ｔ４、Ｔ５、Ｔ６に付いて同様に測定できるが、ここでＴ４は中心線に配したとき移動ファラデーカップからのパルスのタイミングであり、Ｔ５とＴ６はビームストップにある対称的に配したスリットに対応する位置にあるときのタイミングである。
【００８６】
従って、  Ｔ１＝Ｔ４となる適正な芯合わせをするには、平行度をＴ１−Ｔ４、Ｔ２−Ｔ５及びＴ３−Ｔ６から計算する。
【００８７】
ビームが対称的三角波形に従い走査されないとしても、芯出し、芯合わせ及び平行度をモニタすることがまた可能である。波形の形が既知である限り、制御装置９０はプログラム操作でビームストップの各タイミングスリットと移動ファラデーカップからのそれぞれのパルスの各タイミングとビームの予め決めた走査波形と比較し、その比較からライン１１０、１１５及び１１６に現れるべき適切な誤差信号を計算することができる。
【００８８】
上述した実施形態において、イオンビームの走査に対応するタイミング信号はビームストッププレートの前面に形成した若干数の狭隘なスリットの後部に配した各電流収集ロッドを使用しビームストップから求められる。他の構造もまた考えられる。例として中心線９７の所に分割線を配してビームストッププレート自体を実際に電気的に絶縁した二つの部分に分割すると、ビームストッププレートの一方の部分で受電する電流はビームをその部分から他の部分に走査するとき急速に減少し、この他の部分で受電する電流は同時に急速に増加する。この転換のタイミングは図２、図３、図４に記載する前文に説明した実施形態の電流収集ロッドから求める各タイミングパルスと同じような方式で利用することができる。こうして、ビームストップはスリット６６、６７、６８の位置にそれぞれ分割線をもつ四つのセグメントを備えた構成で形成することが出来る。そこで、ビームストッププレートの各セグメントからの各種の電流信号の波形を用いて制御装置９０に使用する目標のタイミング信号を出力することができるであろう。
【００８９】
上述で解説し、図面に記載した実施形態では、ビームストップ２３がファラデーカップである。本発明の例にはビームストップが組み込まれてよいが、これは測定のために全ビーム電流を取り込むことが目的ではなく、ビームエネルギーを安全に吸収することを目的としているだけである。このようなビームストップが削除されることは無いが、磁石５３、５４を含まないことはありうるであろう。更に、このようなビームストップは図面に記載のカップ形状にする必要はない。
【００９０】
本発明の更なる実施形態において、抑圧型ファラデーカップではなく、移動ビーム検出装置を移動ファラデーカップ２４に代えて採用してもよい。本発明を実施する目的のために移動ビーム検出装置に唯一必要なことは、走査されるビームの検出装置の上方を通過するとき、これに対応したタイミング信号を出力することである。
【図面の簡単な説明】
【図１】本発明を実施したビームストップを組み入れたイオン注入装置の概略平面図である。
【図２】イオン注入装置のプロセスチャンバの内部に配し、本発明の各実施形態に従いイオンビーム走査装置とコリメータを制御するシステムを解説した図１に記載のストップビームの概略を示す図である。
【図３】ビームストップの平面図で拡大断面を示す。
【図４】ビームストップを立面図で拡大断面を示す。
【図５】ビームストップからと、移動ファラデーカップから引き出され、ビームの芯合わせと平行度の制御に用いる信号パルスを解説したタイミング図である。
【符号の説明】
イオンソース
分析器磁石
１２．質量選択スリット
イオンビーム
走査装置
走査したビーム
コリメータ
走査したビーム
プロセスチャンバ
ウェハ
ウェハホルダ
往復走査アーム
作動装置
ビームストップ
９０．制御装置
芯出し信号ライン
走査装置／コリメータ制御ユニット
１１５．芯合わせ信号ライン
走査タイミング信号ライン
【図１】
0005175012.tif 000002
【図２】
0005175012.tif 000003
【図３】
0005175012.tif 000004
【図４】
0005175012.tif 000005
【図５】
0005175012.tif 000006